(57)【要約】本発明は現代女性等の必須化粧品であるマニキュアに関するもので、より詳細にはマニキュア液を常に一定かつ円滑に流出させることができ、爪にマニキュア液を塗布することが容易で、かつ簡単であり、ブラシを容易に交換することができるマニキュア容器に関するものである。本発明はマニキュア容器にブラシ棒を締りばめ方式で結合してマニキュア液が一定量ずつ排出されるように構成することによって、使用が簡便であり、手足の爪の美容を効果的に行なうことができるマニキュア容器を提供する。そして、本発明のマニキュア容器は、マニキュア液がそれ自体の揮発性により空気中に消失することを最小化させることができる。また、マニキュア液を手や足の爪に塗布した後、使用したブラシが硬くなるのを防止して、古くなったブラシを取り替えて使用することができる。さらに、マニキュア液を使いきった時、容器に再充填して使用することによって、マニキュアを長期間に渡って使用できるので、経済的である。
2004538071.tif 000002
【特許請求の範囲】
【請求項１】
マニキュア液を手や足の爪に塗る美容器具用マニキュア容器において、
前記マニキュア液を貯蔵して、外圧により、一端に設けられた流出口１３からマニキュア液を排出させる容器本体１０と、
前記容器本体１０の上部に形成された第１雄ネジ１２に螺合するためにその内周に第１雌ネジ２２が形成され、その上部にはテーパー状のブラシ棒挿入溝２１が管状に突設された連結部材２０と、
前記連結部材２０のブラシ棒挿入溝２１に締りばめ方式で結合されて、上部にブラシを付設できるように所定形状のブラシ受容溝３２が形成されたブラシ棒３０と、
所定量のマニキュア液が噴出するように、前記ブラシ棒３０底部の内側から前記ブラシ受容溝３２に、連設される複数のマニキュア流出ノズル３１と、
前記ブラシ棒３０を取り囲んで、前記連結部材２０の上部の内側に形成された第２雌ネジ２３に螺合され、前記ブラシ３４が硬くなるのを防止するために所定量のマニキュア液が貯蔵された所定形状の蓋４０と、を含むことを特徴とするマニキュア容器。
【請求項２】
前記蓋４０は、
内部に所定量のマニキュア液を貯蔵するために所定の大きさで形成された貯蔵部４１と、
前記連結部材２０の第２雌ネジ２３に螺合されるように、底部の外周に形成された第２雄ネジ４２と、
マニキュア液の流出を最小化させるためにテーパー状で底部の内側に形成された傾斜部４３と、
前記傾斜部４３の所定位置に前記貯蔵部４１から排出されてブラシ３４に付きすぎたマニキュア液を取るために所定の長さに突出した液分離突起４４と、からなることを特徴とする請求項１に記載のマニキュア容器。
【請求項３】
前記容器本体１０の内部には、前記容器本体１０に貯蔵されたマニキュア液が所定の振動によりよく混合されて液の凝固を防止するための複数のビード１１が更に具備されることを特徴とする請求項１に記載のマニキュア容器。
【請求項４】
前記容器本体１０の上部には、前記複数のビード１１による前記ブラシ棒３０へのマニキュア液の流出の遮断を防止するために、内側に複数の流出孔１５が形成されたパッキング１４が更に具備されることを特徴とする請求項１及び請求項３のいずれかに記載のマニキュア容器。
【発明の詳細な説明】
【技術分野】
【０００１】
本発明は現代女性の必須化粧品であるマニキュアに関するもので、より詳細にはマニキュア液を常に一定かつ円滑に流出させることができ、爪にマニキュア液を塗布することが容易かつ簡単であり、劣化したブラシを容易に交換することができるマニキュア容器に関するものである。
【背景技術】
【０００２】
図４は一般的に使用する従来のマニキュア容器の分解斜視図である。図４を参照すれば、通常のマニキュア容器はマニキュア液３００を貯蔵する瓶１００と、支持棒２１０と、栓兼取っ手２００とから構成される。瓶１００はその上部に形成された瓶の首１３０と、この瓶の首１３０に形成されたネジ部１２０を備える。下端部にブラシ２２０を付設した支持棒２１０は、栓兼取っ手２００の中央部に垂直に配設される。栓兼取っ手２００はネジ部１２０に螺合するネジ部２３０を備える。
【０００３】
このような構成を有する従来のマニキュア容器において、栓兼取っ手２００を瓶の首１３０に螺合して、マニキュア液３００を瓶１００の中に保管する。マニキュア液３００の使用時には、栓兼取っ手２００を回して開き、上方へ引いて取り外す。そして、マニキュア液３００に含沈されたブラシ２２０を使って、手入れしようとする手や足の爪に塗布する。
【０００４】
しかし、前述したような従来のマニキュア容器は、手や足の爪に塗る時、ブラシ２２０に何度もマニキュア液３００を浸さなければならない不便がある。また、ブラシ２２０をマニキュア容器に頻繁に挿入及び引き出すことによって、手や服にマニキュア液３００が付かないように、使用者の注意が必要である。
【０００５】
そして、ブラシ２２０は、その機能上の制約により、単純に爪にマニキュアを塗って手入れすることにしか使用されないものなので、消費者の多様な美的ニーズを満たすには十分ではない。
【０００６】
また、洗浄液容器も使用者が直接蓋を開いて綿や布等に洗浄液を付けた後、これを手や足の爪に擦り付けなければならないので、これも使用者にとって使い勝手のよいものではない。洗浄液容器を長時間開けっ放しにしておくと、容器の入口からマニキュアや洗浄液自体の揮発性によりマニキュア液や洗浄液が空中に消失してしまうため、マニキュア液と洗浄液の無駄になる。
【発明の開示】
【発明が解決しようとする課題】
【０００７】
本発明は前述の従来技術の課題を解決するためになされたもので、その目的はマニキュア容器にブラシ棒を締りばめ方式で結合してマニキュア液が一定量ずつ排出されるように構成することによって、爪の美容を簡単便利に行なうことができるだけでなく、マニキュア液がその揮発性により空気中に消失することを最小化することができ、マニキュア液を手や足の爪に塗布した後、使用したブラシが硬くなるのを防止すると共に、古くなったブラシを取り替えて使用することができ、マニキュア液を使い切ったら、容器に再充填して使用することによって、マニキュアを長期間に渡って使用できる、経済的なマニキュア容器を提供することにある。
【課題を解決するための手段】
【０００８】
上記の目的を達成するために、本発明は、マニキュア液を手や足の爪に塗る美容器具用マニキュア容器を提供する。このマニキュア容器は、（ａ）前記マニキュア液を貯蔵して、押圧され、一端に設けられた流出口１３からマニキュア液を排出させる容器本体１０と、（ｂ）前記容器本体１０の上部に形成された第１雄ネジ１２に螺合するためにその内周に第１雌ネジ２２が形成され、その上部にはテーパー状のブラシ棒挿入溝２１が管状に突設された連結部材２０と、（ｄ）前記連結部材２０のブラシ棒挿入溝２１に締りばめ方式で連結されて、上部にブラシを付設できるように所定形状のブラシ受容溝３２が形成されたブラシ棒３０と、（ｅ）所定量のマニキュア液が噴出するように、前記ブラシ棒３０底部の内側から前記ブラシ受容溝３２に、連設される複数のマニキュア流出ノズル３１と、（ｆ）前記ブラシ棒３０を取り囲んで前記連結部材２０の上部の内側に形成された第２雌ネジ２３に螺合され、前記ブラシ３４が硬くなるのを防止するために所定量のマニキュア液が貯蔵された所定形状の蓋４０と、を含むことを特徴とする。
【０００９】
ここで、前記容器本体１０の内部には、前記容器本体１０に貯蔵されたマニキュア液が所定の振動によりよく混合されて液の凝固を防止するための複数のビード１１が更に具備されることが好ましい。
【００１０】
好ましくは、前記容器本体１０の上部には、前記複数のビード１１による前記ブラシ棒３０へのマニキュア液の流出の遮断を防止するために、内側に複数の流出孔１５が形成されたパッキング１４が更に具備される。
【００１１】
前述した本発明の目的、他の特徴および利点は、添付図面を参照し、好ましい実施の形態を記載することによりさらに明らかになるであろう。
【発明を実施するための最良の形態】
【００１２】
以下、添付図面を参照して本発明の好ましい実施の形態について詳細に説明する。
【００１３】
図１と図２はそれぞれ、本発明に係るマニキュア容器の分解斜視図及びその断面図である。図３は本発明の実施の形態に係る蓋の結合動作を示す断面図である。
【００１４】
図１、２及び３に示すように、本発明のマニキュア容器はマニキュア液を貯蔵する容器本体１０と、容器本体１０の上部と螺合され、テーパー状に形成されたブラシ棒挿入溝２１が突設された連結部材２０と、連結部材２０のブラシ棒挿入溝２１に締りばめ方式で結合されて、上部にはブラシ３４を備えるブラシ棒３０と、ブラシ棒３０を取り囲んで連結部材２０の上部に螺合され、内部には所定量のマニキュア液を貯蔵する蓋４０とから構成される。
【００１５】
容器本体１０は、流出口１３と、第１雄ネジ１２と、複数のビード１１とから構成される。流出口１３は容器本体１０の上部に形成され、外圧により押圧されてマニキュア液を一定量ずつ排出させる。第１雄ネジ１２は流出口１３の外周面に形成される。球状に形成されたビード１１は容器本体１０に収容されて、容器本体１０内のマニキュア液が所定の振動によりよく混合されて液の凝固を防止する。
【００１６】
ここで、容器本体１０は外圧により押圧されればマニキュア液を噴出させることができるように弾性を有するシリコン素材の弾性合成樹脂で製作されることが好ましい。
【００１７】
容器本体１０の上部には複数のビード１１によりブラシ棒３０へのマニキュア液の流出が遮断されないように、内側に複数の流出孔１５が形成された円筒状のパッキング１４が備わっている。
【００１８】
ここで、流出孔１５の直径はビード１１の直径より小さく形成することが好ましい。
【００１９】
連結部材２０は容器本体１０の第１雄ネジ１２に螺合するように下部の内周に形成された第１雌ネジ２２と、中央部にテーパー状に形成・突設されたブラシ棒挿入溝２１と、蓋４０と螺合するように上部に形成された第２雌ネジ２３とを備える。
【００２０】
ブラシ棒３０は、楕円状のブラシ受容溝３２と、複数のマニキュア流出ノズル３１とを備える。ブラシ棒３０はブラシ挿入溝２１に締りばめで連結され、ブラシ３４は楕円状のブラシ受容溝３２に付設される。複数のマニキュア流出ノズルは、その底部の内側からブラシ受容溝３２に所定量のマニキュア液が噴出できるように、連通されている。
【００２１】
蓋４０は貯蔵部４１、第２雄ネジ４２、傾斜部４３及び液分離突起４４を備える。貯蔵部４１は内部に一定量のマニキュア液を貯蔵するために所定の大きさで形成される。第２雄ネジ４２は連結部材２０の第２雌ネジ２３に螺合されるように、蓋４０の底部の外周に形成される。底部の内側に形成された傾斜部４３はマニキュア液の流出を最小化させるためにテーパー状に形成される。傾斜部４３の中央部分に形成された液分離突起４４はブラシ３４に付きすぎたマニキュア液を取るために所定の長さで突出している。
【００２２】
ここで、ブラシを使用しない時、蓋４０に貯蔵されたマニキュア液は揮発性によりブラシ３４が硬くなってしまうことを防止する。
【００２３】
また、液分離突起４４は円環状で傾斜部４３に突設されている。液分離突起４４にブラシ３４を数回擦り付けることによって、適当量のマニキュア液がブラシ３４に含まれるようにすることができる。
【００２４】
以下、前述したように構成した本発明に係るマニキュア容器の作用及び効果を使用順序にしたがって説明する。まず、使用者が手や足の爪にマニキュア液を塗布するために、マニキュア液が貯蔵された容器本体１０から蓋４０を、ネジ部の係合に沿って回して取り外す。
【００２５】
この時、ブラシ棒３０上部のブラシ３４は、蓋４０の貯蔵部４１に貯蔵された一定量のマニキュア液が付いている状態で引き出される。したがって、液分離突起４４に対して数回擦り付けることによって、ブラシ３４に適当量のマニキュア液を付けることができる。
【００２６】
続いて、容器本体１０を揺することによって、マニキュア液は容器本体１０の内部に貯蔵された複数のビード１１により効果的に混ざり合う。
【００２７】
そして、容器本体１０の一側を指の力で押圧すれば、内部のマニキュア液が連結部材２０の内部とブラシ棒３０のマニキュア流出ノズル３１を介してブラシ３４に噴出される。
【００２８】
この時、容器本体１０の上部にはパッキング１４が挿入されていて、複数のビード１１が流動するのを制限でき、直径の小さな連結部材２０のブラシ棒挿入溝２１を通って流出するマニキュア液が遮断されることを防止する。また、マニキュア液はパッキング１４の内側に形成された複数の流出孔１５を通じて一定に流出させることができる。
【００２９】
前述したように、使用者は滲出したマニキュア液を含浸させたブラシ３４を利用して手や足の爪にマニキュア液を塗る。
【００３０】
マニキュア液を手や足の爪に塗った後、蓋４０を連結部材２０の第２雌ネジ２３に螺合することによって、容器本体１０に貯蔵されているマニキュア液が流出しないようにマニキュア容器を密封する。
【００３１】
ここで、蓋４０が連結されても、蓋４０から少量のマニキュア液がブラシ棒３０の方に流出する恐れがある。しかし、ブラシ棒３０をブラシ棒挿入溝２１に締りばめ方式で嵌挿することにより、マニキュア液の流出範囲を制限する。
【００３２】
そして、ブラシ３４の状態が不良な場合には、ブラシ棒３０をブラシ棒挿入溝２１から分離して、良好な状態のブラシが付設された新しいブラシ棒に取り替えて使用することによって、より効果的に爪の美容を行なうことができる。
【００３３】
また、容器本体１０に貯蔵されたマニキュア液を使いきったときには、流出口１３を通じてマニキュア液を再充填できるので、本発明に係るマニキュアを長期間使用することができる。
【００３４】
以上、本発明の好ましい実施の形態について具体的に説明したが、当業者であれば、添付した特許請求の範囲により定義した本発明の範囲と趣旨から逸脱することなく、多様な変形、追加、代替実施が可能である。
【産業上の利用可能性】
【００３５】
上述のように、本発明によれば、容器本体にマニキュア液を再充填して使用することによって、マニキュア容器を再使用できるだけでなく、ブラシを交換して使用することによってマニキュアを長期間使用できるので経済的である。
【００３６】
そして、容器本体を密閉させて、上部に連結されたブラシ棒を通じてマニキュア液を一定量ずつ排出するように構成されているので、使用が簡便であり、より効果的に爪の美容を行なうことができ、マニキュア液がそれ自体の揮発性により空中に消失することを最小限にとどめることができる。
【００３７】
また、容器本体に複数のビードが収容されているので、所定の振動によりマニキュア液がよく混ざり合う。また、本発明のマニキュア容器は、マニキュア液が所定量貯蔵された蓋により、ブラシが硬くならないので良好な状態を維持できる。
【図面の簡単な説明】
【００３８】
【図１】本発明に係るマニキュア容器の分解斜視図である。
【図２】図１に示したマニキュア容器の断面図である。
【図３】本発明の一実施形態による蓋の結合動作を示す断面図である。
【図４】従来のマニキュア容器の分解斜視図である。
【国際公開パンフレット】
2004538071.tif 000003
2004538071.tif 000004
2004538071.tif 000005
2004538071.tif 000006
2004538071.tif 000007
2004538071.tif 000008
2004538071.tif 000009
2004538071.tif 000010
2004538071.tif 000011
2004538071.tif 000012
2004538071.tif 000013
2004538071.tif 000014
2004538071.tif 000015
2004538071.tif 000016
2004538071.tif 000017
2004538071.tif 000018
2004538071.tif 000019
2004538071.tif 000020
2004538071.tif 000021
2004538071.tif 000022
【国際公開パンフレット（コレクトバージョン）】
2004538071.tif 000023
2004538071.tif 000024
【国際調査報告】
2004538071.tif 000025